(57)【特許請求の範囲】
【請求項１】
ケースの側部に回転操作可能に設けられた操作部材と、
前記ケースの内部に突出した前記操作部材の内端部に取り付けられた歯車と、
前記ケースの内部に回転移動可能に配置され、かつ前記歯車に向けて突出した状態で設けられて前記歯車が噛み合うラックを備える内転リングと、
前記ケースの内部に設けられて前記内転リングが配置され、かつ前記ラックが回転移動可能に挿入するガイド溝を備えるガイド保持部と、
を備え、
前記内転リングは、前記ガイド保持部に回転移動可能に配置される回転体を備え、前記ラックは、前記歯車に対応する前記回転体の一面に前記歯車に向けて突出して設けられていることを特徴とする内転機構。
【請求項２】
請求項１に記載の内転機構において、前記内転リングは、前記回転体と前記ラックとの間に設けられ、前記ガイド保持部の前記ガイド溝に前記ラックと共に挿入する台座部を備えていることを特徴とする内転機構。
【請求項３】
請求項２に記載の内転機構において、前記内転リングの前記台座部と前記ガイド保持部の前記ガイド溝との間には、弾力を備える緩衝部材が設けられていることを特徴とする内転機構。
【請求項４】
請求項３に記載の内転機構において、前記緩衝部材は、前記ケースの内部の中心側に位置する前記ガイド溝の内周面に設けられ、これに対面する前記台座部の内周面に接触して摺動することを特徴とする内転機構。
【請求項５】
請求項４に記載の内転機構において、前記緩衝部材は、前記ガイド溝の内周面に沿って設けられたリング部材であることを特徴とする内転機構。
【請求項６】
請求項４に記載の内転機構において、前記緩衝部材は、前記ガイド溝の内周面に沿って所定間隔で設けられた複数の円柱部材であることを特徴とする内転機構。
【請求項７】
請求項１に記載の内転機構において、前記ガイド保持部の前記ガイド溝には、前記ガイド保持部と前記内転リングとの熱膨張係数の差による前記ラックの前記ガイド溝に対する締りを逃す逃げ部が設けられていることを特徴とする内転機構。
【請求項８】
請求項７に記載の内転機構において、前記逃げ部は、前記ガイド溝の底部側からその開放側に向けて前記ガイド溝の溝幅が次第に広くなるテーパ状に形成されていることを特徴とする内転機構。
【請求項９】
ケースの側部に回転操作可能に設けられた操作部材と、
前記ケースの内部に突出した前記操作部材の内端部に取り付けられた歯車と、
前記ケースの内部に回転移動可能に配置され、かつ前記歯車に向けて突出した状態で設けられて前記歯車が噛み合うラックを備える内転リングと、
前記ケースの内部に設けられて前記内転リングが配置され、かつ前記ラックが回転移動可能に挿入するガイド溝を備えるガイド保持部と、
を備え、
前記ガイド保持部の前記ガイド溝には、前記ガイド保持部と前記内転リングとの熱膨張係数の差による前記ラックの前記ガイド溝に対する締りを逃す逃げ部が設けられていることを特徴とする内転機構。
【請求項１０】
請求項９に記載の内転機構において、前記逃げ部は、前記ガイド溝の底部側からその開放側に向けて前記ガイド溝の溝幅が次第に広くなるテーパ状に形成されていることを特徴とする内転機構。
【請求項１１】
ケースの側部に回転操作可能に設けられた操作部材と、
前記ケースの内部に突出した前記操作部材の内端部に取り付けられた歯車と、
前記ケースの内部に回転移動可能に配置され、かつ前記歯車に向けて突出した状態で設けられて前記歯車が噛み合うラックを備える内転リングと、
前記ケースの内部に設けられて前記内転リングが配置され、かつ前記ラックが回転移動可能に挿入するガイド溝を備えるガイド保持部と、
を備え、
前記内転リングは、前記ガイド保持部に回転移動可能に配置される回転体を備えていることを特徴とする内転機構。
【請求項１２】
請求項１〜請求項１１のいずれかに記載された内転機構を備えていることを特徴とする時計。
【発明の詳細な説明】
【技術分野】
【０００１】
この発明は、腕時計などの電子機器に用いられる内転機構およびそれを備えた時計に関する。
【背景技術】
【０００２】
例えば、腕時計においては、特許文献１に記載れているように、腕時計ケースの側部に操作部材を回転操作可能に設け、この操作部材の内端部に設けられた歯車を腕時計ケース内に設けられた内転リングのラックに噛み合わせ、操作部材を回転操作させて歯車を回転させた際に、その歯車の回転に応じて内転リングが腕時計ケースの内周面に沿って回転移動するように構成された内転機構が知られている。
【先行技術文献】
【特許文献】
【０００３】
【特許文献１】特開２０１１−１８５８３５号公報
【０００４】
このような内転機構は、内転リングの下面にその下面よりも内転リングの内部に窪んだ状態でラックがリング状に形成され、この内転リングが腕時計ケースの内周面に鍔状に形成されたガイド保持部上にその円周方向に沿って回転移動可能に配置され、このガイド保持部の一部に設けられた切欠き部を通して操作部材の歯車が内転リングのラックに噛み合うように構成されている。
【０００５】
また、この内転機構は、内転リングの上面に、方位位置表示や時間計測表示などの目盛を見やすく表示する必要があるため、内転リングの上面に外周側が高く内周側が低い傾斜面を形成し、この傾斜面に方位位置表示や時間計測表示などの目盛を表示するように構成されている。
【発明の概要】
【発明が解決しようとする課題】
【０００６】
しかしながら、このような内転機構では、目盛を見やすく表示するために、内転リングの上面が傾斜面に形成されているので、内転リングの下面にラックを窪んだ状態で設ける際に、内転リングの傾斜面によってラックの設置位置が制約を受け、ラックを回転リングの外周側に設けなければならないという問題が生じる。
【０００７】
このため、このような内転機構では、内転リングが径方向にガタつき易いばかりか、内転リングの大きさによって内転リングのラックと操作部材の歯車との噛み合い位置が決定されてしまい、方位位置表示や時間計測表示などの目盛を表示する表示径を大きくするために、内転リングを大きくすると、これに伴って腕時計ケースも大きくなるという問題がある。
【０００８】
この発明が解決しようとする課題は、内転リングの回転性能を向上させ、かつ表示領域を広げてワイドフェイス化ができる内転機構およびそれを備えた時計を提供することである。
【課題を解決するための手段】
【０００９】
この発明は、ケースの側部に回転操作可能に設けられた操作部材と、前記ケースの内部に突出した前記操作部材の内端部に取り付けられた歯車と、前記ケースの内部に回転移動可能に配置され、かつ前記歯車に向けて突出した状態で設けられて前記歯車が噛み合うラックを備える内転リングと、前記ケースの内部に設けられて前記内転リングが配置され、かつ前記ラックが回転移動可能に挿入するガイド溝を備えるガイド保持部と、を備え、前記内転リングは、前記ガイド保持部に回転移動可能に配置される回転体を備え、前記ラックは、前記歯車に対応する前記回転体の一面に前記歯車に向けて突出して設けられていることを特徴とする内転機構である。
【発明の効果】
【００１０】
この発明によれば、ガイド保持部のガイド溝によって内転リングのラックの径方向における位置を規制することができるので、内転リングの径方向におけるガタつきや遊びを小さく抑えることができ、これにより内転リングの回転性能を向上させることができる。また、内転リングの表示面の形状による影響を受けずに、ラックを内転リングに設けることができるので、内転リングを大きく形成しても、内転リングのラックと操作部材の歯車との噛み合い位置が影響を受けないようにすることができる。これにより、内転リングの回転性能を向上させることができると共に、表示領域を広げてワイドフェイス化を図ることができる。
【図面の簡単な説明】
【００１１】
【図１】この発明を腕時計に適用した第１実施形態において、一部を破断して示した拡大正面図である。
【図２】図１に示された腕時計のＡ−Ａ矢視における要部を示した拡大断面図である。
【図３】図１に示された腕時計のＢ−Ｂ矢視における要部を示した拡大断面図である。
【図４】この発明を腕時計に適用した第２実施形態における要部を示した拡大断面図である。
【図５】この発明を腕時計に適用した第３実施形態において、図６に示された腕時計のＤ−Ｄ矢視における要部を示した拡大断面図である。
【図６】図５に示された腕時計のＣ−Ｃ矢視における要部を示した拡大断面図である。
【図７】この発明を腕時計に適用した第４実施形態における要部を示した拡大断面図である。
【発明を実施するための形態】
【００１２】
（第１実施形態）
以下、図１〜図３を参照して、この発明を腕時計に適用した第１実施形態について説明する。
この腕時計は、図１に示すように、腕時計ケース１を備えている。この腕時計ケース１は、図２および図３に示すように、上部側に位置する金属製の第１ケース２と下部側に位置する金属製の第２ケース３とで構成されている。
【００１３】
この腕時計ケース１の上部開口部、つまり第１ケース２の上部開口部には、図２および図３に示すように、時計ガラス４がパッキン４ａを介して取り付けられている。この腕時計ケース１の下部、つまり第２ケース３の下部には、裏蓋５が防水リング５ａを介して取り付けられている。
【００１４】
また、この腕時計ケース１の内部、つまり第２ケース３の内部には、図２および図３に示すように、時計モジュール６が中枠７を介して設けられている。この時計モジュール６は、図示ないが、時刻などの情報を表示する表示部や、指針の運針により時刻を指示する時計ムーブメントなどの時計機能に必要な各種の部品を備えている。
【００１５】
この時計モジュール６と時計ガラス４との間に位置する腕時計ケース１における第１ケース２の内周面には、図２および図３に示すように、見切り部材８および後述する内転機構１０の内転リング１１が設けられている。また、腕時計ケース１の３時側、４時側、および８時側に位置する各側部には、図１に示すように、スイッチ装置９がそれぞれ設けられており、この腕時計ケース１の２時側に位置する側部には、内転機構１０の操作部材１２が設けられている。
【００１６】
ところで、内転機構１０は、図１〜図３に示すように、腕時計ケース１の２時側に位置する側部にその内外に突出した状態で回転操作可能に設けられた操作部材１２と、この操作部材１２の内端部に取り付けられた駆動歯車１３と、腕時計ケース１の第１ケース２の内周面に沿って回転する内転リング１１と、第１ケース２の内周面に設けられて内転リング１１を回転移動可能に保持するガイド保持部１４と、を備えている。
【００１７】
この場合、腕時計ケース１の２時側に位置する側部には、図２に示すように、貫通孔１ａが内部と外部とに貫通して設けられている。この貫通孔１ａ内には、円筒部材１５が腕時計ケース１の内部と外部とに突出して設けられている。この円筒部材１５は、貫通孔１ａ内に配置される小径筒部１５ａと、貫通孔１ａから腕時計ケース１の外部に突出する大径筒部１５ｂと、を有している。この円筒部材１５の内部には、軸孔１５ｃが貫通して設けられている。
【００１８】
操作部材１２は、図１および図２に示すように、スイッチ機能を有するものであり、頭部１６と、この頭部１６に連設された軸部１７と、を備えている。頭部１６は、腕時計ケース１の外部に配置されている。軸部１７は、円筒部材１５の軸孔１５ｃ内に挿入されて腕時計ケース１の内部と外部とに突出し、この状態で円筒部材１５内に回転可能で、かつスライド可能に取り付けられている。
【００１９】
この場合、操作部材１２は、図２に示すように、その軸方向に押し出された第１の位置と、軸方向に押し込まれた第２の位置とに、回転可能な状態で、移動するように構成されている。すなわち、この操作部材１２は、第１の位置に押し出された際に、軸部１７の内端部が時計モジュール６の接点部（図示せず）から離れてスイッチをオフ状態にし、第２の位置に押し込まれた際に、軸部１７の内端部が時計モジュール６の接点部を押してスイッチをオン状態にするように構成されている。
【００２０】
また、この操作部材１２の頭部１６は、図２に示すように、その内径が円筒部材１５の大径筒部１５ｂの外径とほぼ同じか、それよりも少し大きい円筒状に形成されている。この頭部１６は、円筒部材１５の大径筒部１５ｂの外周に設けられた防水リング１８が頭部１６の内周面に弾接して摺動するように構成されている。また、この頭部１６の内端面と大径筒部１５ｂの外端面との間には、ばね部材１９が配置されている。
【００２１】
このばね部材１９は、図２に示すように、コイルばねであり、頭部１６の内端面と大径筒部１５ｂの外端面との間に位置する軸部１７の外周に配置され、この状態で外端部が頭部１６の内端面に弾接し、内端部が大径筒部１５ｂの外端面に弾接するように構成されている。これにより、ばね部材１９は、頭部１６を腕時計ケース１の外部に向けて押し出す方向に付勢するように構成されている。
【００２２】
また、操作部材１２の軸部１７は、図２に示すように、その外径が円筒部材１５の軸孔１５ｃの内径よりも少し小さく形成されている。この軸部１７の外周面には、円筒部材１５の小径筒部１５ａの内周面に弾接して摺動する複数の防水リング２０が設けられている。また、この軸部１７における腕時計ケース１内に突出する内端部側（図２では左端部側）には、角棒状の歯車取付部２１が設けられている。この歯車取付部２１には、駆動歯車１３がＥリングなどの抜止め部材２２によって取り付けられている。
【００２３】
この場合、抜止め部材２２は、図２に示すように、軸部１７の内端部（図２では左端部）に設けられた取付溝部１７ａに取り付けられて、駆動歯車１３が軸部１７の歯車取付部２１から脱落するのを防ぐように構成されている。また、駆動歯車１３は、その中心部に四角形状の軸孔２３が設けられ、この軸孔２３に操作部材１２の歯車取付部２１がスライド可能に嵌合するように構成されている。
【００２４】
これにより、駆動歯車１３は、図２に示すように、軸部１７の歯車取付部２１にスライド可能に取り付けられ、この状態で操作部材１２と共に一体的に回転すると共に、操作部材１２がばね部材１９のばね力によって第１の位置に押し出される際、また操作部材１２がばね部材１９のばね力に抗して第２の位置に押し込まれる際に、軸部１７の移動に対して相対的にスライドすることにより、常に同じ位置を維持するように構成されている。
【００２５】
この駆動歯車１３は、図２に示すように、その外周部に等間隔で多数の歯部１３ａが設けられ、この駆動歯車１３の上側に位置する歯部１３ａが腕時計ケース１内に設けられた内転リング１１の後述するラック２４に噛み合い、この状態で操作部材１２の回転操作に伴って操作部材１２と共に回転し、その回転に連動して内転リング１１を駆動歯車１３の回転方向と直交する方向である腕時計ケース１の内周面に沿って回転させるように構成されている。
【００２６】
一方、内転リング１１は、方位位置を示す目盛が表示された方位回転板や、時間計測の目盛が表示された計測回転板、あるいは目盛機能を有しない回転板などである。この内転リング１１は、図２および図３に示すように、時計ガラス２を通してその上方向から見る状態で、腕時計ケース１の内周面に沿って回転するように構成されている。この場合、腕時計ケース１の第１ケース２の内周面には、内転リング１１を回転移動可能に保持するガイド保持部１４が第１ケース２内に向けて鍔状に突出して設けられている。
【００２７】
また、この内転リング１１は、図２および図３に示すように、第１ケース２のガイド保持部１４上に回転移動可能に配置されるリング状の回転体２５と、この回転体２５上に設けられた回転見切り部２６と、回転体２５の下面に設けられて駆動歯車１３が噛み合うラック２４と、を備えている。回転体２５は、平板状のリング部２５ａと、このリング部２５ａの外周部に起立して設けられた外周部２５ｂと、を有している。
【００２８】
この回転体２５は、図２および図３に示すように、その外周部２５ｂの上端部が時計ガラス４の下面に接触または接近した状態で配置されている。また、この回転体２５は、その外周部２５ｂの外周面が第１ケース２の内周面に接近した状態で配置されている。これにより、回転体２５は、第１ケース２の内周面に沿って回転移動するように構成されている。
【００２９】
回転見切り部２６は、図２および図３に示すように、回転体２５のリング部２５ａ上に設けられている。この回転見切り部２６は、その外周端が回転体２５の外周部２５ｂとほぼ同じ高さで、内周端が外周端よりも低く形成されている。これにより、回転見切り部２６は、その上面が外周側から内周側に向けて次第に低くなる斜面２６ａに形成され、この斜面２６ａに方位位置表示や時間計測表示などの目盛（図示せず）が表示されるように構成されている。
【００３０】
ラック２４は、図２および図３に示すように、駆動歯車１３の上部側に位置する歯部１３ａに対応する回転体２５の下面に、その下側つまり駆動歯車１３に向けて突出した状態で、回転体２５の円周方向に沿ってリング状に設けられている。このラック２４は、その円周方向に沿って多数の歯部が下側に向けて設けられ、これら多数の歯部に駆動歯車１３の上部側に位置する歯部１３ａが順次噛み合うことにより、回転体２５と共に回転移動するように構成されている。
【００３１】
この場合、第１ケース２のガイド保持部１４の上面には、図２および図３に示すように、内転リング１１のラック２４が回転移動可能に挿入するガイド溝２７が第１ケース２の内周面に沿ってリング状に形成されている。このガイド溝２７は、その内部にラック２４が回転移動可能に挿入されていることにより、ラック２４および回転体２５の径方向における位置を規制するように構成されている。
【００３２】
また、このガイド溝２７は、図２に示すように、腕時計ケース１の２時側に位置する箇所が下側に開放され、この開放された箇所に駆動歯車１３の上部側に位置する歯部１３ａが挿入されてラック２４に噛み合うように構成されている。また、ガイド保持部１４の内周面には、図２および図３に示すように、見切り部材８が設けられている。この見切り部材８は、リング状に形成され、時計モジュール６の上部に設けられた文字板（図示せず）の外周縁を覆うように構成されている。
【００３３】
すなわち、この見切り部材８は、図２および図３に示すように、その外周側の厚みが厚く、内周側に向けて厚みが薄くなる傾斜面８ａに形成されている。また、この見切り部材８は、その外周部がガイド保持部１４の内周面に取り付けられた状態で、下面が文字板（図示せず）の外周縁における上面に接近すると共に、外周側の上面が内転リング１１の回転見切り部２６の内端下部に接近して配置されるように構成されている。
【００３４】
次に、この腕時計の作用について説明する。
通常は、図２に示すように、腕時計ケース１の貫通孔１ａ内に固定された円筒部材１５内に回転可能でかつスライド可能に設けられた操作部材１２が、ばね部材１９のばね力によって腕時計ケース１の外部に向けて押し出される方向、つまり操作部材１２の第１の位置に付勢されている。
【００３５】
この状態では、操作部材１２の頭部１６と軸部１７とが第１の位置に押し出されて、操作部材１２の軸部１７の内端部に設けられた抜止め部材２２が駆動歯車１３の内側面に当接して、駆動歯車１３を円筒部材１５の内端部に押し付ける。このため、操作部材１２の軸部１７の内端部が腕時計ケース１内に配置された時計モジュール６の接点部（図示せず）から離れた位置に配置される。これにより、時計モジュール６のスイッチがオフ状態になる。
【００３６】
また、操作部材１２の頭部１６をばね部材１９のばね力に抗して押圧すると、図２に示す状態で、操作部材１２の頭部１６と軸部１７とが第２の位置に押し込まれる。この状態では、頭部１６が円筒部材１５の大径筒部１５ｂの外周を覆って腕時計ケース１の外面に接近し、軸部１７の内端部の抜止め部材２２が駆動歯車１３の内側面から離れ、軸部１７の内端部が腕時計ケース１内の時計モジュール６の接点部（図示せず）を押してスイッチをオン状態にする。
【００３７】
このように、操作部材１２がばね部材１９のばね力によって押し出された第１の位置に配置されていても、また操作部材１２がばね部材１９のばね力に抗して押し込まれた第２の位置に配置されていても、操作部材１２の軸部１７の移動に対して駆動歯車１３が相対的にスライドすることにより、駆動歯車１３は腕時計ケース１内の内転リング１１のラック２４に噛み合った状態を維持する。
【００３８】
一方、この腕時計において内転リング１１を回転させて、内転リング１１に表示された方位位置表示や時間計測表示などの目盛を選択して指定する場合には、図１および図２に示すように、操作部材１２の頭部１６を回転操作する。すると、操作部材１２の軸部１７が回転し、この軸部１７の回転に伴って駆動歯車１３が回転し、この駆動歯車１３の回転に応じて内転リング１１が腕時計ケース１の内周面に沿って回転移動する。
【００３９】
この場合には、操作部材１２の内端部に設けられた角棒状の歯車取付部２１が、駆動歯車１３の中心に設けられた角孔状の軸孔２３に挿入されているので、操作部材１２の軸部１７が回転すると、その軸部１７の回転と共に駆動歯車１３が回転する。このときには、駆動歯車１３の上部側に位置する歯部１３ａが腕時計ケース１内の内転リング１１のラック２４に噛み合っているので、駆動歯車１３の回転に伴って内転リング１１が腕時計ケース１の内周面に沿って回転移動する。
【００４０】
また、このときには、図２および図３に示すように、内転リング１１の回転体２５が腕時計ケース１のガイド保持部１４上に回転移動可能に配置され、ラック２４がガイド保持部１４のガイド溝２７内に回転移動可能に配置されているので、内転リング１１の回転体２５およびラック２４における径方向の位置が規制されている。
【００４１】
このため、内転リング１１の回転体２５およびラック２４がその径方向におけるガタつきや遊びが小さく抑えられているので、内転リング１１が腕時計ケース１の内周面に沿って円滑に回転移動する。これにより、内転リング１１に表示された方位位置や時間計測などの目盛を正確にかつ良好に選択して指定することができる。
【００４２】
このように、この腕時計の内転機構１０によれば、腕時計ケース１の側部に回転操作可能に設けられた操作部材１２と、腕時計ケース１の内部に突出した操作部材１２の内端部に取り付けられた駆動歯車１３と、腕時計ケース１の内部に回転移動可能に配置され、かつ駆動歯車１３に向けて突出した状態で設けられて駆動歯車１３が噛み合うラック２４を備える内転リング１１と、腕時計ケース１の内部に設けられて内転リング１１が配置され、かつラック２４が回転移動可能に挿入するガイド溝２７を備えるガイド保持部１４と、を備えていることにより、内転リング１１の回転性能を向上させ、かつ表示領域を広げてワイドフェイス化を図ることができる。
【００４３】
すなわち、この腕時計の内転機構１０では、内転リング１１のラック２４がガイド保持部１４のガイド溝２７内に回転移動可能に挿入されているので、内転リング１１が腕時計ケース１内で回転移動する際に、ガイド溝２７によってラック２４をガイドすることができる共に、内転リング１１の径方向における位置を規制することができる。これにより、内転リング１１の径方向におけるガタつきや遊びを小さく抑えることができるので、内転リング１１を円滑にかつ良好に回転移動させることができ、これにより内転リング１１の回転性能を向上させることができる。
【００４４】
また、この腕時計の内転機構１０では、内転リング１１の表面である表示面の形状による影響を受けずに、ラック２４を内転リング１１に設けることができるので、内転リング１１を大きく形成しても、ラック２４と駆動歯車１３との噛み合い位置が影響を受けないようにすることができる。このため、内転リング１１の回転性能を向上させることができると共に、表示領域を広げて腕時計全体のワイドフェイス化を図ることができる。
【００４５】
この場合、内転リング１１は、腕時計ケース１のガイド保持部１４に回転移動可能に配置された回転体２５を有し、ラック２４は、駆動歯車１３に対応する回転体２５の一面である下面に駆動歯車１３に向けて突出して設けられているので、回転体２５をガイド保持部１４に配置した際に、内転リング１１のラック２４をガイド保持部１４のガイド溝２７内に回転移動可能な状態で確実にかつ良好に挿入させることができる。このため、内転リング１１の径方向における位置を正確にかつ良好に規制することができるので、より一層、内転リング１１の回転性能を向上させることができる。
【００４６】
また、この内転リング１１は、ガイド保持部１４上に回転移動可能に配置された回転体２５と、この回転体２５上に設けられた回転見切り部２６と、を備えているので、回転見切り部２６を自由な形状で形成することができる。例えば、回転見切り部２６の上面を外周側から内周側に向けて次第に低くなる斜面２６ａに形成することができ、この斜面２６ａに方位位置表示や時間計測表示などの目盛（図示せず）を見易く表示することができる。
【００４７】
この場合にも、内転リング１１のラック２４が内転リング１１の回転体２５の下面にその下側に突出して設けられているので、内転リング１１のラック２４が内転リング１１の回転見切り部２６の形状による影響を受けることがなく、回転体２５の下面における任意の位置にラック２４を設けることができるので、これによっても腕時計全体のワイドフェイス化を図ることができる。
【００４８】
（第２実施形態）
次に、図４を参照して、この発明を腕時計に適用した第２実施形態について説明する。なお、図１〜図３に示された第１実施形態と同一部分には同一符号を付して説明する。
この腕時計は、図４に示すように、内転リング１１の回転体２５とラック２４との間に台座部３０を設け、この台座部３０とガイド保持部１４のガイド溝２７との間に緩衝部材３１を設けた構成であり、これ以外は第１実施形態とほぼ同じ構成になっている。
【００４９】
すなわち、台座部３０は、図４に示すように、ラック２４を支持するためものであり、回転体２５の下面にその下側に突出した状態で回転体２５の円周方向に沿ってリング状に形成されている。この台座部３０は、その径方向の長さ（幅）がラック２４の径方向の長さ（歯幅）と同じ長さで形成されている。ラック２４は、台座部３０の下面に一体に形成されている。
【００５０】
この場合、台座部３０は、図４に示すように、腕時計ケース１内のガイド保持部１４に設けられたガイド溝２７内にラック２４と共に腕時計ケース１の内周面に沿って回転移動可能に挿入されるように構成されている。これにより、腕時計ケース１内のガイド保持部１４に設けられたガイド溝２７は、その深さが台座部３０の厚み分、第１実施形態よりも深く形成されている。
【００５１】
緩衝部材３１は、図４に示すように、断面円形状のリング部材であり、天然ゴム、合成ゴムなどの弾力を有する材料で形成されている。この緩衝部材３１は、腕時計ケース１の内部の中心側に位置するガイド溝２７の内周面に設けられた環状溝２７ａ内に配置され、この状態でガイド溝２７の環状溝２７ａに対応する台座部３０の内周面に接触して摺動するように構成されている。
【００５２】
これにより、緩衝部材３１は、図４に示すように、腕時計ケース１のガイド保持部１４と内転リング１１との熱膨張係数の違いによって、内転リング１１のラック２４および台座部３０がガイド保持部１４のガイド溝２７内でその内周面を締め付ける際に、内転リング１１の台座部３０の内周面が圧接するように構成されている。
【００５３】
このため、緩衝部材３１は、図４に示すように、ガイド保持部１４のガイド溝２７に対する内転リング１１の台座部３０による締め付けを緩衝し、内転リング１１の台座部３０およびラック部２４をガイド保持部１４のガイド溝２７内で円滑に回転移動させるように構成されている。
【００５４】
このような腕時計の内転機構１０によれば、第１実施形態と同様の作用効果あるほか、内転リング１１の回転体２５の下面に台座部３０を設け、この台座部３０の下面にラック２４を設け、このラック２４と共に台座部３０をガイド保持部１４のガイド溝２７内に回転移動可能に挿入した構成であるから、ガイド溝２７によって台座部３０をラック２４と共にガイドすることができる共に、この台座部３０によっても内転リング１１の径方向における位置を規制することができ、これにより内転リング１１が腕時計ケース１内でその径方向にガタツクことがないので、内転リング１１の回転性能を向上させることができる。
【００５５】
また、この内転機構１０では、台座部３０とガイド保持部１４のガイド溝２７との間に緩衝部材３１を設けた構成であるから、内転リング１１の台座部３０およびラック２４の各内周面とガイド保持部１４のガイド溝２７の内周面との間に隙間を設けることができる。このため、腕時計ケース１のガイド保持部１４と内転リング１１との熱膨張係数の違いによって、内転リング１１のラック２４および台座部３０がガイド保持部１４のガイド溝２７の内面を締め付ける際に、内転リング１１の台座部３０の内周面を緩衝部材３１に圧接させることができる。
【００５６】
これにより、この内転機構１０では、ガイド保持部１４のガイド溝２７に対する内転リング１１のラック２４および台座部３０による締め付けを緩衝することができるので、内転リング１１の台座部３０およびラック部２４をガイド保持部１４のガイド溝２７内で円滑にかつ良好に回転移動させることができる。この場合、緩衝部材３１は、ガイド溝２７の内周面に沿って設けられたリング部材であることにより、ガイド保持部１４のガイド溝２７に対する内転リング１１のラック２４および台座部３０による締め付けを確実にかつ良好に緩衝することができる。
【００５７】
（第３実施形態）
次に、図５および図６を参照して、この発明を腕時計に適用した第３実施形態について説明する。この場合には、図４に示された第２実施形態と同一部分に同一符号を付して説明する。
この腕時計は、図５および図６に示すように、内転リング１１の回転体２５に設けられた台座部３０とガイド保持部１４のガイド溝２７との間に配置される緩衝部材３２が、第２実施形態と異なる構成であり、これ以外は第２実施形態とほぼ同じ構成になっている。
【００５８】
すなわち、この緩衝部材３２は、図５および図６に示すように、複数の円柱部材であり、それぞれ天然ゴム、合成ゴムなどの弾力を有する材料で形成されている。この緩衝部材３２は、腕時計ケース１の内部の中心側に位置するガイド溝２７の内周面に沿って所定間隔で設けられている。この場合、ガイド溝２７の内周面には、複数の取付凹部２７ｂが所定間隔で設けられている。
【００５９】
これにより、緩衝部材３２は、図５および図６に示すように、ガイド溝２７の内周面に設けられた複数の取付凹部２７ｂ内にそれぞれ配置された状態で、ガイド溝２７の複数の取付凹部２７ｂに対応する内転リング１１の台座部３０の内周面に接触して摺動するように構成されている。
【００６０】
この場合にも、緩衝部材３２は、図５および図６に示すように、腕時計ケース１のガイド保持部１４と内転リング１１との熱膨張係数の違いによって、内転リング１１のラック２４および台座部３０がガイド保持部１４のガイド溝２７内でその内周面を締め付ける際に、内転リング１１の台座部３０の内周面が圧接するように構成されている。
【００６１】
これにより、緩衝部材３２は、図５および図６に示すように、ガイド保持部１４のガイド溝２７に対する内転リング１１の台座部３０による締め付けを緩衝し、内転リング１１の台座部３０およびラック部２４をガイド保持部１４のガイド溝２７内で円滑に回転移動させるように構成されている。
【００６２】
このような腕時計の内転機構１０によれば、内転リング１１の回転体２５の下面に設けられた台座部３０とガイド保持部１４のガイド溝２７との間にその円周方向に沿って円柱状の複数の緩衝部材３２を所定間隔で設けた構成であるから、第２実施形態と同様、内転リング１１の台座部３０およびラック２４の各内周面とガイド保持部１４のガイド溝２７の内周面との間に隙間を設けることができる。
【００６３】
このため、この内転機構１０では、腕時計ケース１のガイド保持部１４と内転リング１１との熱膨張係数の違いによって、内転リング１１のラック２４および台座部３０がガイド保持部１４のガイド溝２７の内周面を締め付ける際に、内転リング１１の台座部３０の内周面を複数の緩衝部材３２にそれぞれ圧接させることができる。
【００６４】
これにより、この内転機構１０においても、ガイド保持部１４のガイド溝２７に対する内転リング１１のラック２４および台座部３０による締め付けを複数の緩衝部材３２によって緩衝することができるので、内転リング１１の台座部３０およびラック部２４をガイド保持部１４のガイド溝２７内で円滑にかつ良好に回転移動させることができる。
【００６５】
なお、上述した第２、第３の各実施形態では、腕時計ケース１の中心部側に位置するガイド溝２７の内周面とこれに対向する台座部３０の内周面との間に緩衝部材３１、３２を設けた場合について述べたが、これに限らず、例えば腕時計ケース１の外部側に位置するガイド溝２７の内周面とこれに対向する台座部３０の外周面との間に緩衝部材を設けても良く、またその両方に緩衝部材を設けて良い。
【００６６】
（第４実施形態）
次に、図７を参照して、この発明を腕時計に適用した第４実施形態について説明する。この場合には、図１〜図３に示された第１実施形態と同一部分に同一符号を付して説明する。
この腕時計は、図７に示すように、ガイド保持部１４のガイド溝２７にラック２４の逃げ部３５を設けた構成であり、これ以外は第１実施形態とほぼ同じ構成になっている。
【００６７】
この場合、腕時計ケース１の第１ケース２は、第１実施形態と同様、金属で形成されており、内転リング１１は、ポリカーボネート樹脂（ＰＣ）、ＡＢＳ樹脂などの合成樹脂で形成されている。このため、第１ケース２と内転リング１１とは、熱膨張係数が異なった構成になっている。
【００６８】
この第１ケース２に設けられたガイド保持部１４のガイド溝２７は、第１実施形態と同様、内転リング１１のラック２４が回転移動可能に挿入する溝であり、第１ケース２の内周面に沿ってリング状に形成されている。このガイド溝２７には、図７に示すように、ラック２４のガイド溝２７に対する締りを逃す逃げ部３５が設けられている。
【００６９】
この逃げ部３５は、図７に示すように、ガイド保持部１４が設けられた第１ケース２と内転リング１１との熱膨張係数の差によるラック２４のガイド溝２７に対する締りを逃すためのものである。すなわち、この逃げ部３５は、ガイド溝２７の底部側からその上部開放側に向けて、ガイド溝２７の溝幅、つまりガイド溝２７の互いに対向する内周面間の長さが次第に広くなるように構成されている。
【００７０】
この場合、この逃げ部３５は、図７に示すように、ガイド溝２７内における互いに対向する内周面のうち、第１ケース２の内部側に位置するガイド溝２７の内周面にテーパ状に形成されている。この逃げ部３５は、第１ケース２の内部側に位置するガイド溝２７の内周面の傾き角度が、１０度〜２０度の角度範囲で、好ましくは１５度の角度で傾斜するように形成されていることが望ましい。
【００７１】
これにより、この逃げ部３５は、図７に示すように、ガイド保持部１４が設けられた第１ケース２と内転リング１１との熱膨張係数の差によって、ラック２４が収縮変形してガイド溝２７の内周面を締め付ける際に、ガイド溝２７に対するラック２４の締りを逃すように構成されている。
【００７２】
すなわち、第１ケース２と内転リング１１とは、常温（２０℃）の状態に対して±３０℃の温度変化が生じると、膨張・収縮変形する。このときには、第１ケース２に対して内転リング１１が、大きく膨張・収縮変形する。このため、ラック２４は、気温が−２０℃の状態になると、ガイド溝２７に対して大きく収縮変形する。このときには、逃げ部３５によってガイド溝２７に対するラック２４の締りを逃す。
【００７３】
このような腕時計の内転機構１０によれば、ガイド保持部１４のガイド溝２７に、ガイド保持部１４と内転リング１１との熱膨張係数の差によるラック２４のガイド溝２７に対する締りを逃す逃げ部３５が設けられていることにより、温度変化によってガイド保持部１４のガイド溝２７と内転リング１１のラック２４とに寸法変化が生じても、逃げ部３５によってラック２４のガイド溝２７に対する締りを逃すことができ、これにより内転リング１１をガイド溝２７に沿って円滑にかつ良好に回転させることができる。
【００７４】
すなわち、この内転機構１０では、ガイド保持部１４と内転リング１１との熱膨張係数に差があるため、常温環境下から低温環境下への温度変化によって、ガイド保持部１４のガイド溝２７と内転リング１１のラック２４との収縮に差が生じ、これらの収縮の差によって寸法変化が生じても、その寸法変化によるラック２４のガイド溝２７に対する締りを逃げ部３５によって確実にかつ良好に逃すことができるので、内転リング１１をガイド溝２７に沿って円滑にかつ良好に回転させることができる。
【００７５】
この場合、逃げ部３５は、ガイド溝２７の底部側からその開放側に向けてガイド溝２７の溝幅、つまりガイド溝２７の互いに対向する内周面間の長さが、次第に広くなるテーパ状に形成されていることにより、構造が簡単であるばかりか、第２実施形態の緩衝部材３１および第３実施形態の緩衝部材３２などのような別部品を必要としないため、部品点数が少なく、組立作業も容易で、生産性が良く、低コスト化を図ることができる。
【００７６】
また、このテーパ状の逃げ部３５は、ガイド溝２７の互いに対向する内周面のうち、ガイド保持部１４の内部側に位置するガイド溝２７の内周面に設けられていることにより、例えば−２０℃程度の低温環境下でラック２４が収縮して寸法変化した際に、ラック２４のガイド溝２７に対する締りを確実にかつ良好に逃すことができ、これにより内転リング１１をガイド溝２７に沿って円滑にかつ良好に回転させることができる。
【００７７】
なお、上述した第４実施形態では、テーパ状の逃げ部３５を、ガイド溝２７の互いに対向する内周面のうち、ガイド保持部１４の内部側に位置するガイド溝２７の内周面に設けた場合について述べたが、この発明はこれに限らず、例えばテーパ状の逃げ部をガイド保持部１４の外部側に位置するガイド溝２７の内周面に設けても良い。
【００７８】
この場合には、例えば常温（２０℃）よりも＋３０℃程度高い５０℃の高温環境下で、ラック２４が膨張変形した際に、ガイド保持部１４の外部側に位置するガイド溝２７の内周面に設けられた逃げ部によって、ラック２４のガイド溝２７に対する締りを確実にかつ良好に逃すことができ、これにより内転リング１１をガイド溝２７に沿って円滑にかつ良好に回転させることができる。
【００７９】
また、この発明は、上述した第４実施形態およびその変形例に限らず、例えばガイド溝２７内の互いに対向する両方の内周面に逃げ部を設けても良い。この場合には、常温（２０℃）よりも±３０℃程度気温が変化した低温環境下および高温環境下において、ラック２４が収縮変形しても、また膨張変形しても、ガイド溝２７内の互いに対向する両方の内周面に設けられた逃げ部によって、ラック２４のガイド溝２７に対する締りを確実にかつ良好に逃すことができる。
【００８０】
また、上述した第１〜第４の各実施形態では、腕時計ケース１が上部側の第１ケース２と下部側の第２ケース３とで構成されている場合について述べたが、これに限らず、例えば第１ケースと第２ケースとを一体に形成した構成であっても良い。
【００８１】
また、上述した第１〜第４の各実施形態では、腕時計ケース１の貫通孔１ａに円筒部材１５を設け、この円筒部材１５に操作部材１２を取り付けた場合について述べたが、これに限らず、腕時計ケース１の貫通孔１ａに操作部材１２を直接取り付けた構成であっても良い。
【００８２】
さらに、上述した第１〜第４の各実施形態では、内転リング１１に方位位置表示や時間計測表示などの目盛（図示せず）を表示した場合について述べたが、これに限らず、内転リングはワールドタイムにおける世界の各都市を表示しても良く、日付を表示した日車や曜日を表示した曜日車などに適用することができる。
【００８３】
なおまた、上述した第１〜第４の各実施形態では、腕時計に適用した場合について述べたが、必ずしも腕時計である必要はなく、例えばトラベルウオッチ、目覚まし時計、置き時計、掛け時計などの各種の時計に適用することができる。また、時計に限らず、例えば携帯情報端末機などの電子機器にも適用することができる。
【００８４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８５】
（付記）
請求項１に記載の発明は、ケースの側部に回転操作可能に設けられた操作部材と、前記ケースの内部に突出した前記操作部材の内端部に取り付けられた歯車と、前記ケースの内部に回転移動可能に配置され、かつ前記歯車に向けて突出した状態で設けられて前記歯車が噛み合うラックを備える内転リングと、前記ケースの内部に設けられて前記内転リングが配置され、かつ前記ラックが回転移動可能に挿入するガイド溝を備えるガイド保持部と、を備えていることを特徴とする内転機構である。
【００８６】
請求項２に記載の発明は、請求項１に記載の内転機構において、前記内転リングは、前記ガイド保持部に回転移動可能に配置される回転体を有し、前記ラックは、前記歯車に対応する前記回転体の一面に前記歯車に向けて突出して設けられていることを特徴とする内転機構である。
【００８７】
請求項３に記載の発明は、請求項２に記載の内転機構において、前記内転リングは、前記回転体と前記ラックとの間に設けられ、前記ガイド保持部の前記ガイド溝に前記ラックと共に挿入する台座部を備えていることを特徴とする内転機構である。
【００８８】
請求項４に記載の発明は、請求項３に記載の内転機構において、前記内転リングの前記台座部と前記ガイド保持部の前記ガイド溝との間には、弾力を備える緩衝部材が設けられていることを特徴とする内転機構である。
【００８９】
請求項５に記載の発明は、請求項４に記載の内転機構において、前記緩衝部材は、前記ケースの内部の中心側に位置する前記ガイド溝の内周面に設けられ、これに対面する前記台座部の内周面に接触して摺動することを特徴とする内転機構である。
【００９０】
請求項６に記載の発明は、請求項５に記載の内転機構において、前記緩衝部材は、前記ガイド溝の内周面に沿って設けられたリング部材であることを特徴とする内転機構である。
【００９１】
請求項７に記載の発明は、請求項５に記載の内転機構において、前記緩衝部材は、前記ガイド溝の内周面に沿って所定間隔で設けられた複数の円柱部材であることを特徴とする内転機構である。
【００９２】
請求項８に記載の発明は、請求項１〜請求項３のいずれかに記載の内転機構において、前記ガイド保持部の前記ガイド溝には、前記ガイド保持部と前記内転リングとの熱膨張係数の差による前記ラックの前記ガイド溝に対する締りを逃す逃げ部が設けられていることを特徴とする内転機構である。
【００９３】
請求項９に記載の発明は、請求項８に記載の内転機構において、前記逃げ部は、前記ガイド溝の底部側からその開放側に向けて前記ガイド溝の溝幅が次第に広くなるテーパ状に形成されていることを特徴とする内転機構である。
【００９４】
請求項１０に記載の発明は、請求項１〜請求項９のいずれかに記載された内転機構を備えていることを特徴とする時計である。
【符号の説明】
【００９５】
１  腕時計ケース
１ａ  貫通孔
６  時計モジュール
１０  内転機構
１１  内転リング
１２  操作部材
１３  駆動歯車
１３ａ  歯部
１４  ガイド保持部
１５  円筒部材
１６  頭部
１７  軸部
２１  歯車取付部
２２  抜止め部材
２３  軸孔
２４  ラック
２５  回転体
２６  回転見切り部
２６ａ  斜面
２７  ガイド溝
３０  台座部
３１、３２  緩衝部材
３５  逃げ部
【図１】
0006020678.tif 000002
【図２】
0006020678.tif 000003
【図３】
0006020678.tif 000004
【図４】
0006020678.tif 000005
【図５】
0006020678.tif 000006
【図６】
0006020678.tif 000007
【図７】
0006020678.tif 000008